(57)【要約】      （修正有）【課題】ロープロファイルケーブルタイにおいて、低挿入力と離脱に抵抗する高保持力とを維持する。【解決手段】ロープロファイルケーブルタイ１０は、一端にある尾部１４と他端にある係止ヘッド１２とを有するストラップ１６を備える。ストラップは、尾部と係止ヘッドとの間に平面状の表面を備え、その表面に沿って複数のノッチ２４を有する。係止ヘッドは、ベース部分３０とヘッド部分３２とを備え、ヘッド部分は、ベース部分とヘッド部分との間に形成された通路２２で、ベース部分に可撓性をもって接続される。ヘッド部分は、ストラップ本体のノッチと噛合するための、通路の中に延在する複数の係止歯を備える。ノッチは、ストラップが通路の中に挿入されるときに、全ての係止歯よりも少ない数の歯に噛合する。ヘッドは、ストラップをヘッドから離脱させようとするときに、前記数よりも多い係止歯がノッチに噛合するように、撓んで旋回可能である。【選択図】図１
2016029309.tif 000002
【特許請求の範囲】
【請求項１】
一端に尾部を有する細長いストラップと、
前記ストラップの他端にある係止ヘッドであって、前記尾部を挿入可能に受容するための、前記係止ヘッドを通過する通路を有する係止ヘッドと、
を備えるロープロファイルタイであって、
前記ストラップが、前記尾部と前記係止ヘッドとの間に平面状のストラップ面を備え、前記ストラップ面が、前記ストラップ面に沿って複数のノッチを有し、
前記係止ヘッドが、ベース部分とヘッド部分とを備え、前記ヘッド部分が、前記ベース部分と前記ヘッド部分との間に形成された前記通路によって前記ベース部分に可撓性をもって接続され、
前記ヘッド部分が、前記ストラップの本体の前記ノッチと噛合するための、前記通路の中に延在する複数の係止歯を備え、
前記ノッチが、前記ストラップが前記通路の中に挿入されるときに、全ての前記係止歯よりも少ない数の歯に噛合し、前記ヘッドが、前記ストラップを前記ヘッドから離脱させようとするときに、前記数よりも多い前記係止歯が前記ノッチに噛合するように、撓んで旋回可能である、ロープロファイルタイ。
【請求項２】
前記ヘッド部分が、前記ベース部分に対して回転可能である、請求項１に記載のロープロファイルタイ。
【請求項３】
前記ヘッド部分が、間隔のあいた一対のレールによって前記ベース部分に接続される、請求項１に記載のロープロファイルタイ。
【請求項４】
前記レールが、可撓性を有する、請求項３に記載のロープロファイルタイ。
【請求項５】
前記ヘッド部分が、３つの歯を備え、前記ノッチが、前記ストラップが前記通路の中に挿入されたときに、前記３つの歯のうちの１つの歯に噛合する、請求項１に記載のロープロファイルタイ。
【請求項６】
前記挿入の方向における最後の前記歯が、前記通路の中に、他の２つの前記歯よりもさらに遠くに延在する、請求項５に記載のロープロファイルタイ。
【請求項７】
前記ストラップを前記ヘッドから離脱させようとするときに、前記３つの歯のうちの全ての歯が前記ノッチに噛合する、請求項５に記載のロープロファイルタイ。
【請求項８】
前記尾部が、挿入されたときに約４０°から５０°の間の角度で前記ヘッドから延出する、請求項１に記載のロープロファイルタイ。
【請求項９】
一端に尾部を有する細長いストラップと、
前記ストラップの他端にある係止ヘッドであって、前記尾部を挿入可能に受容するための、前記係止ヘッドを通過する通路を有する係止ヘッドと、
を備えるロープロファイルタイであって、
前記ストラップが、前記尾部と前記係止ヘッドとの間に平面状のストラップ面を備え、前記ストラップ面が、前記ストラップ面に沿って複数のノッチを有し、
前記係止ヘッドが、ベース部分とヘッド部分とを備え、前記ヘッド部分が、前記ベース部分と前記ヘッド部分との間に形成された前記通路によって前記ベース部分に可撓性をもって接続され、
前記ヘッド部分が、前記ストラップの本体の前記ノッチと噛合するための、前記通路の中に延在する複数の係止歯を備え、
前記複数の係止歯のうちの１つの歯が、前記通路を備える前記ストラップの本体の挿入のときに、前記ノッチに噛合し、前記ヘッド部分が、前記ベース部分に対して回転可能であり、前記ストラップを前記通路から離脱させようとするときに、前記複数の係止歯の全てが前記ノッチと噛合される、ロープロファイルタイ。
【請求項１０】
前記係止ヘッドの前記ベース部分が、間隔のあいた一対の可撓性レールによって前記ヘッド部分に接続される、請求項９に記載のロープロファイルタイ。
【請求項１１】
前記ヘッド部分が、３つの歯を備え、前記ノッチが、前記ストラップが前記通路の中に挿入されたときに、前記３つの歯のうちの１つの歯に噛合する、請求項１０に記載のロープロファイルタイ。
【請求項１２】
前記ストラップを前記ヘッドから離脱させようとするときに、前記３つの歯のうちの全ての歯が前記ノッチに噛合する、請求項１１に記載のロープロファイルタイ。
【請求項１３】
前記尾部が、挿入されたときに約４０°から５０°の角度で前記ヘッドから延出する、請求項９に記載のロープロファイルタイ。
【発明の詳細な説明】
【技術分野】
【０００１】
関連出願の相互参照
本願は、2014年7月15日に出願された米国仮特許出願第62/024,612号に基づく優先権を主張するものであり、米国仮特許出願第62/024,612号の全ての内容は参照によって本願に援用される。
【０００２】
本発明の分野
本発明は、物品又は物品群を括るのに使用されるケーブルタイに関する。より具体的には、本発明は、可撓性ヘッドを有するロープロファイルケーブルタイに関する、
【背景技術】
【０００３】
物品群を括ったり固定したりするためのケーブルタイの使用は周知である。従来の構成の公知のケーブルタイは、一端にあるヘッドと、他端にある尾部と、ヘッドと尾部との間にある長手方向のストラップとを有する細長い部材である。ストラップは、複数の物品の束の周りに巻き付けられ、尾部は、ヘッドの開口又は通路に挿通される。ケーブルタイのヘッドは、一般的に、ストラップの本体と係合可能である係止要素を備えており、それによって、尾部がヘッドの通路を通して引っ張られたときに、係止要素がストラップ本体をヘッド内で固定することができる。
【０００４】
状況によっては、ロープロファイルケーブルタイは、束に対して低い状態で置かれて引っ掛かりに抵抗するので、ロープロファイルケーブルタイは好適である。ロープロファイルを維持するため、ストラップは、ヘッドの中に、ストラップ本体に対して実質的に平行な方向に挿入される。
【発明の概要】
【発明が解決しようとする課題】
【０００５】
従来のケーブルタイツールは、従来のケーブルタイのヘッドを通してケーブルタイの尾部を引っ張るために使用される。これらのツールは、一般的には、ロープロファイルケーブルタイにおいて有効に使用されることができない。
【０００６】
さらに、そのようなケーブルタイでは、ヘッド内への尾部のための低挿入力と離脱に抵抗する高保持力とを維持することが望ましい。
【課題を解決するための手段】
【０００７】
ロープロファイルタイは、一端に尾部を有する細長いストラップを備える。ストラップの他端に位置する係止ヘッドは、尾部を挿入可能に受容するための、係止ヘッドを通過する通路を有する。ストラップは、前記尾部と前記係止ヘッドとの間に平面状のストラップ面を備え、前記ストラップ面は、ストラップ面に沿って複数のノッチを有する。係止ヘッドは、ベース部分とヘッド部分とを備え、ヘッド部分は、ベース部分とヘッド部分との間に形成された通路によってベース部分に可撓性をもって接続される。ヘッド部分は、前記尾部の挿入の際に前記ストラップ本体のノッチと噛合するための、通路の中に延在する複数の係止歯を備える。ノッチは、ストラップが前記通路の中に挿入されるときに、全ての係止歯よりも少ない数の歯に噛合する。ヘッドは、前記ストラップを前記ヘッドから離脱させようとするときに、係止歯よりも多くがノッチに噛合するように、撓んで旋回可能である。
【図面の簡単な説明】
【０００８】
【図１】図１は、本発明のロープロファイルケーブルタイの斜視図である。
【図２】図２は、図１のケーブルタイの部分的な平面図である。
【図３】図３は、括られる配置における図１のケーブルタイの部分的な斜視図である。
【図４】図４は、尾部挿入配置における図１のケーブルタイを示している。
【図５】図５は、尾部引張配置における図１のケーブルタイを示している。
【発明を実施するための形態】
【０００９】
図１から図５は、本発明のケーブルタイ１０を示している。ケーブルタイ１０は、係止ヘッド１２、反対側の尾部１４、及び、係止ヘッド１２と尾部１４との間の細長いストラップ本体１６を備える細長い部材である。ストラップ本体１６は、概して、対向する第一主面１８及び第二主面２０を有する平面形である。ヘッド１２は、ヘッド１２を通過する通路２２を備える。通路２２は、ストラップ進入端部２４及びストラップ退出端部２６を備える。ストラップ面１８は、ストラップ面１８の長さに沿って間隔のあいた複数の歯状のノッチ２４を備える。
【００１０】
係止ヘッド１２は、ストラップ本体１６の一端に形成されたベース部分３０と、ベース部分３０から離間したヘッド部分３２とを備える。通路２２は、ベース部分３０とヘッド部分３２との間に画成されている。
【００１１】
ヘッド部分３２は、可撓性接続部３４によってベース部分３０に接続されており、可撓性接続部３４は、ベース部分３０に対するヘッド部分３２の旋回を可能にする。可撓性接続部３４は、間隔のあいた一対の可撓性レール３４ａ、３４ｂによって形成されており、一対のレール３４ａ、３４ｂはまた、一対のレール３４ａ、３４ｂの間に通路２２も画成する。
【００１２】
ベース部分３０とヘッド部分３２は、互いに向かい合う表面３０ａ、３２ａを備える。ベース部分３０の表面３０ａは、ストラップ本体１６の平坦面２０を支持できるように概ね平坦である。表面３２ａは、図４及び図５により完全に示された複数の歯３８を備え、これらの歯３８は、通路２２の中に延在している。
【００１３】
図３から図５を追加的に参照すると、３つの歯３８が表面３２ａから通路２２の中に延在するのが示されている。その数は単なる例示であると理解されることができる。
【００１４】
３つの歯３８ａ、３８ｂ、３８ｃは、通路２２の中へのストラップ本体の挿入方向（矢印Ａ）に連続して配置されている。最後の歯３８ｃは、他の２つの歯３８ａ、３８ｂよりも更に通路の中に延在しており、それらは連続して凹設されている。
【００１５】
歯３８ｃは、通路２２の中へのストラップ本体１６の挿入の際に、単一の歯３８ｃ（又は、全ての歯よりも少ない歯）がストラップ本体１６上のノッチ２４に噛合するように位置付けられている。単一の歯３８ｃのノッチ２４とのそのような噛合によって、ストラップ本体１６を小さい挿入力で矢印Ａの方向に通路２２を通して容易に挿入させることができる。
【００１６】
ストラップが堅く括られると、矢印Ａの反対側の矢印Ｂ（図５）の方向にストラップを動かそうとして、例えば締結引張力の解放によって、ヘッド部分３２がベース部分３０に向かって内方へ旋回する。可撓性レール３４ａ、３４ｂは、ヘッド部分３２のそのような回転を可能にする。
【００１７】
本発明では、歯が固定され、ヘッド部分３２が可撓性を有するか、或いは回転可能であり、それによって、より大きい保持力がもたらされる。
【００１８】
ストラップ本体１６は、通路に対して角度をもって、好ましくは約４０°から５０°の角度で、通路２２から延出する。そのような角度で、可撓性接続部の影響を受けたヘッド部分３２の回転によって、追加的な歯３８ａ及び３８ｂがノッチに噛合する。複数の歯のノッチとのこの噛合は、ヘッド内のストラップに対して高い保持力をもたらす。また、この角度は、従来のケーブルタイツールを使ってロープロファイルタイを引っ張ることを可能にする。
【００１９】
よって、本発明は、低挿入力でヘッドの中へのタイの挿入を可能にし、一旦括られると、ヘッド内のストラップに対して高保持力をもたらすロープロファイルケーブルタイを提供する。
【００２０】
前述されて図示された構造に対する様々な変更は、当業者にとって明らかであろう。したがって、本発明の特に記載された範囲が下記の特許請求の範囲に明記されている。
【符号の説明】
【００２１】
１０  ケーブルタイ
１２  ヘッド、係止ヘッド
１４  尾部
１６  ストラップ本体
２２  通路
３０  ベース部分
３２  ヘッド部分
３４  可撓性接続部
３４ａ  可撓性レール、レール
３４ｂ  可撓性レール、レール
３８  歯
３８ａ  歯
３８ｂ  歯
３８ｃ  歯
【図１】
2016029309.tif 000003
【図２】
2016029309.tif 000004
【図３】
2016029309.tif 000005
【図４】
2016029309.tif 000006
【図５】
2016029309.tif 000007
【外国語明細書】
2016029309000001.pdf